Podtech/llm-jp-corpus-v4-ja_patent huggingface dataset:
(57)【要約】      （修正有）【課題】各種の案内、広告等のボード又はパネル等に取付ける、略Ａ字状にした外れ防止ロック機能付紙脚を提供する。【解決手段】紙脚本体１を取着面２と支脚面３とより構成され、取着面には、水平支持片５とその先端に設けた引出し用の指掛切孔６を穿設し、且つ下端縁には、ボード等の取付けの際にセンター合せの目印となる欠除部９を穿設する。また、該水平支持片の先端を該支脚面の圧接凸部より押出し、押出された水平支持片の先端を押圧板１１の反発力でロックすることを特徴としている。【選択図】図２
0003174332.tif 000002
【実用新案登録請求の範囲】
【請求項１】
紙脚本体（１）は、縦長の方形状であって、取着面（２）と支脚面（３）とを横方向の屈曲部（４）を以って構成され、該取着面（２）には、下部にセンター合せ用の欠除部（９）を穿設すると共に、指掛切孔（６）と係止凹部（７）と設けた水平支持片（５）とを切込み線（１２）によって形成し、該支脚面（３）には、先端に圧接凸部（１３）を設けた押圧板（１１）を切込み線（１２）を以って形成し、且つ該押圧板（１１）の下辺線には、折り曲げ部（１４）を形成したことを特徴とする外れ防止ロック機能付紙脚。
【考案の詳細な説明】
【技術分野】
【０００１】  本考案は、各種の案内、広告等のボード又はパネル等に取付け、紙の反発力を利用して略Ａ字状に強固にロックできる外れ防止ロック機能付紙脚に関するものである。
【背景技術】
【０００２】  従来、この種の流通している紙脚は、安定のために支脚面が巾広く、且つ下方に向って末広がりに形成しているため、梱包時には、製品が一回り大きい収納物が必要となると共に、変形のために商品がガタ付き、破損等の憂いが生じている現状である。
【考案の概要】
【考案が解決しようとする課題】
【０００３】  上記の様に、従来の紙脚によれば、紙脚の支脚面が印刷物の両面に突出するので、大変に見苦しい問題点と、ボード又はパネル等に貼着する時には、該ボード又はパネル等の裏面の中央部分に確実に取着けることが大変に難しい問題点であった。
本考案は、従来の紙脚における問題点に鑑みてなされたものであり、その目的とするところは、紙脚の組立を簡単に確実にロックし、且つ取着面の水平支持片に設けた指掛切孔によって開放が容易であると共に、下端面に欠除部を設けてパネル等への取付位置を正確にした外れ防止ロック機能付紙脚を提供するものである。
【課題を解決するための手段】
【０００４】  上記目的を達成するために、本考案における外れ防止ロック機能付紙脚は、紙板で縦方向の方形状であって、取着面と横方向の屈曲部を介して支脚面を形成する。該取着面には、下端に取付けの箇所のセンター合せ用の欠除部を切除して設ける。また、取着面に切り起し用の指掛切孔と係止凹部とを設けた水平支持片を構成する。また、支脚面には、圧接凸部を設けた押圧板によって水平支持片を上部より圧持するものである。
【考案の効果】
【０００５】  本考案の外れ防止ロック機能付紙脚によれば、従来の普通に使用されている紙脚の支脚面を取着面より巾広く形成してあるので、支脚面の両側が左右に突設し、体裁が悪く且つ変形したり、破損するのを防止できる効果と、紙脚本体を取着面と支脚面とを縦長に形成したので、非常に巾狭いボード又はパネルにも充分に使用できる便利な効果もある。
そして、該取着面の下部に設けた欠除部によっては、ボード又はパネルの取付に際して、センターである中心に正確に適合できる取付時の便利さが有る効果がある。また、水平支持片に設けた指掛切孔によっては、手の指先で容易に折り曲げ展開ができる効果がある。
更に、支脚面の圧接凸部を設けた押圧板は、取着面に設けた水平支持片の先端を容易に押込させると共に、該水平支持片の先端を反発力を以って強固に圧持する効果がある。
【図面の簡単な説明】
【０００６】
【図１】  本考案の紙脚本体を展開した状態の正面図である。
【図２】  同じく本考案の紙脚本体を組立てた状態の斜面図である。
【図３】  本考案をボード又はパネルに貼着した状態の縦断側面図である。
【考案を実施するための形態】
【０００７】  上記のように構成された外れ防止ロック機能付紙脚は、紙脚本体の横方向の屈曲部で折り曲げ、取着面の指掛切孔より折り曲げ部より水平支持片を水平に起して、水平支持片の先端の指掛切孔を押圧板の圧接凸部より挿入すると、押圧板は、反発力に抗して開放して水平支持片を挿入後に圧持固定するものである。
【実施例】
【０００８】  実施例について、図面を参照して説明すると、図１において、紙脚本体（１）は、縦長で方形状を有し、且つ取着面（２）と横方向の屈曲部（４）を設けて支脚面（３）を一体に構成してある。
該取着面（２）には、略中央部分に水平支持片（５）を設け、その上方に開放を容易とする指掛切孔（６）と係止凹部（７）とを切込み線（８）を以って形成し、下方に設けた折り曲げ部（１４）によって水平に起こすように形成されている。また、下端縁には、該紙脚本体（１）のセンターを定めるための欠除部（９）を設けてある。
次に、該支脚面（３）には、略中央部分に押圧板（１１）を形成し、該押圧板（１１）には、上辺に圧接凸部（１３）と左右の側辺とを切込み線（１２）によって形成し、下辺の折り曲げ部（１４）より開放するように構成されている。
図２に示されたものは、該紙脚本体（１）は、該屈曲部（４）によって、該支脚面（３）を折り曲げて、略Ａ字状に組立てされた状態を示したもので、該取着面（２）に設けた該水平支持片（５）を指掛切孔（６）により水平に屈曲し、その先端を該支脚面（３）に設けた圧接凸部（１３）を押圧開放すると共に、押圧板（１１）の反発力で該水平支持片（５）を上部より圧接固定するものである。
更に、図３に示すものは、各種のボード又はパネル（１５）に対して該取着面（２）の裏面は、該ボード又はパネル（１５）等に使用する両面テープ（１０）等によって、取付した状態を示したものである。また、該支脚面（３）に設けた該押圧板（１１）は、挿入された該水平支持片（５）を上部より強固押圧している。
【符号の説明】
【０００９】１          紙脚本体
２          取着面
３          支脚面
４          屈曲部
５          水平支持片
６          指掛切孔
７          係止凹部
８、１２    切込み線
９          欠除部
１０        両面テープ
１１        押圧板
１３        圧接凸部
１４        折り曲げ部
１５        ボード又はパネル
【図１】
0003174332.tif 000003
【図２】
0003174332.tif 000004
【図３】
0003174332.tif 000005
(57)【要約】      （修正有）【課題】夢精や頻尿等における男性の陰茎より生じるトラブルを簡便な方法で解決するための手段を提供する。【解決手段】筒状の袋１の側面にファスナー２を取り付け開閉自在となるようにし、陰茎を包み覆うようにスライダー３を閉じることにより、筒袋１を装着する。さらに、陰部に固定するための掴みシロ４を筒袋１の一部に設けることにより、ベルトやサポーターあるいは下着に取り付けられたサスペンダー７との接続が可能となり、陰茎に簡便に吊下げ固定することができる。【選択図】図３
0003174335.tif 000002
【実用新案登録請求の範囲】
【請求項１】
筒袋の側面にファスナーを取り付けて、陰茎を包み込むようにした筒袋。
【請求項２】
筒袋の入口近辺に掴みシロ（４）を設けた請求項１記載の筒袋。
【請求項３】
吊下げる穴を掴みシロ（４ａ）に設けた請求項２記載の筒袋。
【考案の詳細な説明】
【技術分野】
【０００１】  男性の尿漏れや夢精等の不意なトラブルに対処する器具に関するものである。
【背景技術】
【０００２】  従来、尿漏れの対処の方法としては、陰部全体を吸湿性のある布や紙で包み覆う形式のものが主であり、局所的に生じたものを陰部全体に染渡らせた後に処理することは、陰部全体に不快感が生じると共に、不衛生であり且つまた不経済であり、イメージ的にもオムツの印象があった。
【考案の表示】
【考案が解決しようとする課題】
【０００３】  漏れた尿や夢精で生じた精液を局所的に留め、処理が簡単であり、経済的且つイメージ的にもオムツの印象を払拭する器具を提供すること。
【課題を解決するための手段】
【０００４】  筒状の袋即ち筒袋の上側面をファスナーで開閉できるようにし、筒袋の入り口の両サイド側面に掴みシロを設ける。筒袋入り口辺りの内側に吸湿性のある帯状のシールを貼り付けておいてもよい。また、筒袋の中には、吸湿性の素材を入れておいてもよい。
【考案の効果】
【０００５】  本考案は、尿や精液を筒袋の中に閉じ込めることで局所的な処理が可能となり、従来のように陰部全体に染渡ることがないので不快感を生じることもなく、装着や脱着が容易にできる。また、吸湿性のシールや素材が尿や精液を吸着する為に筒袋からの流出を防ぐこともできる。そして、筒袋そのものを処分することにより、簡単に処理することができる。また陰部全体を覆うこともないので経済的且つオムツのイメージも払拭される。
【図面の簡単な説明】
【０００６】
【図１】本考案の本体筒袋の斜視図である。
【図２】本考案の本体筒袋の一部切欠断面図である。
【図３】本考案の本体筒袋とサスペンダーの斜視図である。
【図４】本考案の本体筒袋と掴みシロの部分図である。
【図５】サスペンダー先端の突起部の斜視図である。
【考案を実施するための形態】
【０００７】    筒袋のファスナーを全開する方向へスライダーを移動することにより、筒袋の入口が大きく開放される。この状態で、陰茎を包むようにしてスライダーを入口の方へ移動し、ファスナーを閉じて、筒袋を陰茎に装着する。寝ている状態で使用する場合には、このファスナーによる装着だけでも構わないが、起きて立ち動いている状態で使用する場合には、ベルトやサポーターあるいは下着に取り付けられたサスペンダーで筒袋の掴みシロと接続し、陰部に吊下げ固定する。またサスペンダーのみでは不十分な場合には、下着に取り付けられたポケットに筒袋を入れて保持することもできる。
【実施例】
【０００８】  以下、添付図面に従って実施例を説明する。１はビニール等適宜素材で形成された筒状の袋本体、２は筒袋本体を開閉するために筒袋の側面に設けたファスナーで、３のスライダーを移動することにより、筒袋１の開閉を自在にする。筒袋１を吊下げ固定する掴みシロ４を筒袋１の入口付近の両サイドに設けておく。【０００９】  筒袋１を吊下げ固定する時に、掴みシロ４の形状の場合にはサスペンダー７のクリップ７ｂで掴みシロ４を挟み込んで吊下げることができる。【００１０】  掴みシロ４ａの形状の場合には、図５に示されるような突起７ａをサスペンダー７の先端に取り付けておくことにより、簡便で強固な脱着が可能となる。【００１１】  筒袋１からの尿や精液の流出を防ぐために、筒袋１の入口付近の内側側面に、吸着材でできたシール５を取り付けておくこともでき、また、筒袋１の中に、液体を吸着し固めるような吸着材６を入れておくことも出来る。
【符号の説明】
【００１２】１    筒袋本体
２    ファスナー
３    スライダー
４    掴みシロ
４ａ  掴みシロ
５    シール
６    吸着材
７    サスペンダー
７ａ  サスペンダー突起
【図１】
0003174335.tif 000003
【図２】
0003174335.tif 000004
【図３】
0003174335.tif 000005
【図４】
0003174335.tif 000006
【図５】
0003174335.tif 000007
(57)【要約】      （修正有）【課題】女性の尿失禁回復器具に関し、身体の姿勢に関係なく、膝や脚力に頼らずに尿道括約筋などの筋力を鍛える器具を提供する。【解決手段】長円形または矩形の板材の長手方向に取っ手を設け、板材の表面に複数個の突起部を設ける。手で取っ手を握り、股間に入れ突起部を尿道括約筋にあてがい軽く叩いて使用する。また突起部を電磁的に振動させる振動手段と制御部を備える。これにより叩く必要がなくなり、より手軽に使用することが出来る。【選択図】図１
0003174308.tif 000002
【実用新案登録請求の範囲】
【請求項１】
尿失禁回復器具において、長円形または矩形の形状を持つ板材と、この板材の長手方向に配設した取っ手と、前記板材の表面に直接的または間接的に設置した複数個からなる突起部を具備したことを特徴とする尿失禁回復器具。
【請求項２】
前記板材を、電磁的に振動させる振動手段を具備したことを特徴とした請求項１に掲げる尿失禁回復器具。
【考案の詳細な説明】
【技術分野】
【０００１】  尿漏れ対策において、特に女性の尿失禁状態を回復するための器具に関する。
【背景技術】
【０００２】  女性の尿失禁原因の一つとして、尿道括約筋や骨盤底筋群といった筋肉の弱まりがあげられる。特に加齢や出産により、これらの筋肉の弱まりが加速されることが多い。
従来、特許文献１〜３にあるような上記筋肉の強化トレーニング器具が提案されている。
【先行技術文献】
【特許文献】
【０００３】
【特許文献１】特許第４３７２２２５号
【特許文献２】実用新案登録第３１３９６２７号
【特許文献３】実用新案登録第３１１７９９８号
【考案の概要】
【考案が解決しようとする課題】
【０００４】  特許文献１は、弓形に形成された板状の部材を肛門付近から大腿部にかけて挟み込み、落下しないようにして保持または歩行する器具であり、座ったり寝た状態で使えない課題がある。特許文献２は、長方形の立方体形状の弾性体部材を椅子に座った姿勢で両膝に挟み、圧縮・開放を繰り返す器具であり、寝た状態では使えない課題がある。特許文献３は、長円形の形状で表面に突起を付けた部材を股間にはさみ、落とさないように引き締め運動をする器具で特許文献１と同様の課題がある。【０００５】  また、これら全ての特許文献において、効果を発揮させるためには脚力が必要であり、それが衰えた高齢者や身体障害者には不向きである課題がある。
【課題を解決するための手段】
【０００６】  本考案は、長円形または矩形の形状を持つ板材の表面部分に突起部を設け、この板材の長手方向に手で握る取っ手を設け、骨盤底筋群全体もしくは尿道括約筋に対して、この突起部を当てて軽く叩くことによって前記課題を解決している。【０００７】  本考案の他の実施例によれば、前記板材の中に前記突起部を電磁的に振動させる振動手段を備え、前記取っ手部の中にこの振動手段を電気的に制御させる制御手段を備えることにより前記課題を解決している。
【考案の効果】
【０００８】  上述のように、本考案の尿漏れ対策器具は、板材を手で持ち前記板材に設けられた突起部を、尿道括約筋等に集中的に当て叩くことが出来るので、寝る、座る、立つなど身体の姿勢に関わらず、また脚力を使わず手首の運動だけで筋肉を鍛錬し、尿失禁状態を効果的に回復することができる。【０００９】  さらに、振動手段とその制御手段を持った器具では、手で持って前記突起部を尿道括約筋などに当て、前記突起部を電磁的に振動させることにより、手首の筋力を要しない効果がある。
【図面の簡単な説明】
【００１０】
【図１】本考案の尿失禁回復器具の実施例を示す斜視図である。
【図２】本考案の尿失禁回復器具の他の実施例を示す使用時の斜視図である。
【図３】は［図２］において電池カバーを外したときの斜視図である。
【考案を実施するための形態】
【００１１】  長円形または矩形の形状を持つ板材があり、この板材の表面部分に突起部を設け、かつ前記板材の長手方向に手で握る取っ手部を設ける。前記取っ手部を手で握り、前記突起部を尿道括約筋に当て軽く叩くようにして使用に供する。前記板材は前記突起部が尿道括約筋を含め骨盤底筋群全体に当たるように湾曲していても良い。
【００１２】  前記板材の中に突起部を電磁的に振動させる振動手段を備え、前記取っ手部にこの振動手段を制御する制御手段と電源部を備える。前記取っ手部を手で握り、前記突起部を尿道括約筋にあてがうようにして使用に供する。
【実施例】
【００１３】  以下、添付の図１に従って一実施例を説明する。１は長円形または矩形の形状を持つ板材であり、平面または湾曲面を有している。２は板材１の長手方向に設けられた取っ手であり手で握る形状を有している。３は板材１の表面に複数個設置された突起部である。板材１、取っ手２、突起部３の材料は木材またはプラスチックが好適である。使用方法は、取っ手２を手で握り、板材１を股間に入れ、突起部３を尿道括約筋に当て軽く叩く。身体の姿勢は特に問わない。【００１４】  また、添付の図２および図３に従って他の実施例を説明する。１１は板材１の背後に配設された電磁的に突起部３を振動させる振動手段である。振動手段１１には電磁コイルと磁石片もしくはモーターとカムなどの組合せが好適である。取っ手２には振動手段１１を制御するための電源・振動モード用スイッチ１４、電源供給用の電池１５および、そのカバー１６が含まれている。使用方法は、取っ手２を手で握り、板材１を股間に入れ、突起部３を尿道括約筋にあてがいスイッチ１４を操作する。身体の姿勢は特に問わない。
【符号の説明】
【００１５】  １  板材
２  取っ手
３  突起部
１１  振動手段
１４  スイッチ
１５  電池
１６  カバー
【図１】
0003174308.tif 000003
【図２】
0003174308.tif 000004
【図３】
0003174308.tif 000005
(57)【要約】      （修正有）【課題】隣接するキートップ間が狭ピッチであるキーユニットを、経済的に製造できるモールド成型におけるキーユニットの構造を提供する。【解決手段】隣接するキートップ間が狭ピッチであるキーユニット１１を、一部品として成型を行わず、複数のモールド部品に分割１２することによって、それぞれの部品を別々に成型し、分割したモールド部品を組み立てることで、モールド成型品のみで隣接するキートップ間が狭ピッチであるキーユニットを製造する。【選択図】図１
0003174303.tif 000002
【実用新案登録請求の範囲】
【請求項１】
モールド成型による第１の形状のキートップと、モールド成型による第２の形状のキートップから成るキーユニットの構造であって、
前記第１のキートップおよび前記第２のキートップは成型された時に弾性を有する保持部と一体に成型される形状を有すると共に、
隣接する前記第１のキートップと前記第２のキートップの間隔が所定値以下の狭ピッチに組み上がる形状を有することを特徴とするモールド成型によるキーユニットの構造。
【考案の詳細な説明】
【技術分野】
【０００１】
本考案は、モールド成型に適した狭ピッチキーユニットの構造に関するものである。
【背景技術】
【０００２】
従来、モールド成型により、複数のキートップを一体成型する場合、モールド成型金型の狭ピッチ部の破損を防ぐために、隣接するキートップ間を所定の間隔（例えば０．２ｍｍ）以下にすることが困難であった（特許文献１参照）。
【先行技術文献】
【特許文献】
【０００３】
【特許文献１】実用新案登録第３１６５３４６号公報
【考案の概要】
【考案が解決しようとする課題】
【０００４】
なお、特許文献１に記載された方法では、モールドキーユニットの細い部分に金属を使用する必要から、材料コストおよび製造コストが高くなるという欠点があった。
【０００５】
そこで、本考案の課題は、隣接するキートップ間が狭ピッチであるキーユニットを、経済的に製造できるモールド成型におけるキーユニットの構造を提供することにある。
【課題を解決するための手段】
【０００６】
上記の課題を解決するために、本考案は、モールド成型による第１の形状のキートップと、モールド成型による第２の形状のキートップから成るキーユニットの構造であって、前記第１のキートップおよび前記第２のキートップは成型された時に弾性を有する保持部と一体に成型される形状を有すると共に、隣接する前記第１のキートップと前記第２のキートップの間隔が所定値以下の狭ピッチに組み上がる形状を有することを特徴とする。
【考案の効果】
【０００７】
本考案によれば、隣接するキートップ間が狭ピッチであるキーユニットを、経済的に製造できるモールド成型におけるキーユニットの構造を提供できる。
【図面の簡単な説明】
【０００８】
【図１】本考案による一実施例を示す図
【図２】図１のキーユニットを２分割した部品Ａの図
【図３】図１のキーユニットを２分割した部品Ｂの図
【考案を実施するための形態】
【０００９】
以下、図面を参照して本考案の実施の形態について詳細を説明する。
【００１０】
図１は、本考案による一実施例を示す図であって、隣接するキートップの間隔が所定値以下の狭ピッチに組み上がった図である。１１はキーユニット、１２は分割部である。キーユニット１１は分割部１２を構成しており、２部品に分割することが可能である。
【００１１】
図２は、図１のキーユニット１１を２分割した部品Ａの図である。２１はモールド部品Ａ、２２はモールド部品Ｂの接続部、２３は弾性を有する保持部である。
【００１２】
図３は、図１のキーユニット１１を２分割した部品Ｂの図である。２３は弾性を有する保持部、２４はモールド部品Ｂである。
【００１３】
モールド部品Ａ２１及びモールド部品Ｂ２４は一般的なモールド金型から成型し、弾性を有する保持部２３を有している。モールド部品Ｂ２４はモールド部品Ａ２１のモールド部品Ｂの接続部２２に接続させ、圧入固定し、モールド部品のみで隣接するキートップ間が狭ピッチであるキーユニットを、経済的に製造できる構造を実現する。
【００１４】
上記はあくまでも一実施例であり、モールド部品Ａ２１のモールド部品Ｂの接続部２２にモールド部品Ｂ２４が固定できていれば良く、固定方法に圧入以外の方法、例えば接着剤による貼付け、溶着、カシメを用いても良い。また、分割数も２以上であってもかまわない。
【００１５】
以下、従来の構造と対比して、本考案の作用と効果を説明する。
従来構造ではキーユニットの狭ピッチ部を成型するために金属などの破損に対する耐久性の高い材質を用いる必要があり、材料コストおよび製造コストが高くなるという欠点があった。
【００１６】
これに対し、キーユニット１１はモールド部品Ａ２１及びモールド部品Ｂ２４から構成されており、他の材料を用いる必要がなく、隣接するキートップ間が狭ピッチであるキーユニットを、安価に製造できる。
【００１７】
以上説明した通り、本考案によれば、隣接するキートップ間が狭ピッチであるキーユニットをモールド成型によって製造することが可能である。
【符号の説明】
【００１８】
１１    キーユニット
１２    分割部
２１    モールド部品Ａ
２２    モールド部品Ｂの接続部
２３    弾性を有する保持部
２４    モールド部品Ｂ
【図１】
0003174303.tif 000003
【図２】
0003174303.tif 000004
【図３】
0003174303.tif 000005
【手続補正書】
【提出日】平成24年1月6日(2012.1.6)
【手続補正２】
【補正対象書類名】明細書
【補正対象項目名】０００６
【補正方法】変更
【補正の内容】
【０００６】
上記の課題を解決するために、本考案は、モールド成型に適した１以上のキートップを有する部品Ａおよび部品Ｂから成るキーユニットの構造であって、前記部品Ａおよび前記部品Ｂの各々は、弾性を有する材料で前記キートップを保持する保持部と、前記部品Ａおよび部品Ｂが合体した時に所定のキーユニット形状が形成されるように接続する接続部と、を有し、前記部品Ａおよび前記部品Ｂの接続部は、前記部品Ａおよび部品Ｂが合体した時に前記部品Ａのいずれかのキートップと前記部品Ｂのいずれかのキートップとの間隔がモールド成型金型で成型可能な最小ピッチの値以下となる形状であることを特徴とする。
【手続補正３】
【補正対象書類名】実用新案登録請求の範囲
【補正対象項目名】全文
【補正方法】変更
【補正の内容】
【実用新案登録請求の範囲】
【請求項１】
モールド成型に適した１以上のキートップを有する部品Ａおよび部品Ｂから成るキーユニットの構造であって、
前記部品Ａおよび前記部品Ｂの各々は、弾性を有する材料で前記キートップを保持する保持部と、前記部品Ａおよび部品Ｂが合体した時に所定のキーユニット形状が形成されるように接続する接続部と、を有し、
前記部品Ａおよび前記部品Ｂの接続部は、前記部品Ａおよび部品Ｂが合体した時に前記部品Ａのいずれかのキートップと前記部品Ｂのいずれかのキートップとの間隔がモールド成型金型で成型可能な最小ピッチの値以下となる形状であることを特徴とするモールド成型に適した狭ピッチキーユニット構造。
(57)【要約】      （修正有）【課題】頸椎と腰椎の矯正に使用する枕を提供する。【解決手段】従来型半月型枕の片端をカットした形状に構成し、肩による押し出しを防ぐものである。本枕を使用すると、頭部の自然な重みが、脊椎全体を牽引し、昼間圧迫していた頸椎を初めとする脊椎全体の椎間板の圧迫から開放し、回復を促す事が出来る。【選択図】図１
0003174302.tif 000002
【実用新案登録請求の範囲】
【請求項１】
頸椎矯正用の半月型枕において、半月型の片端面をカットした形状に構成した非対称形半月型枕
【請求項２】
長さが約４００ミリの非対称形半月枕と長さが約２００ミリの短尺非対称形半月型枕を着脱自在に繋げた非対称形半月型枕
【考案の詳細な説明】
【技術分野】
【０００１】本考案は頸椎と腰椎の矯正に使用する枕に関するものである。
【背景技術】
【０００２】従来、頸椎に何らかの症状を訴える患者用に、半月型の形状を構成し、寝る際に頸椎に負担をかけない頸椎矯正用の枕が提供されていた。
【先行技術文献】
【特許文献】
【０００３】
【考案の概要】
【考案が解決しようとする課題】
【０００４】前記の頸椎矯正用の枕は、寝ている間に枕が頭の上の方に外れて使いにくい欠点があった。この原因を良く調べたところ、半月型の一端を患者の肩により、寝ている間に枕を頭の上の方向に押し出している事が分かった。
【課題を解決するための手段】
【０００５】本考案は以上のような従来の枕の欠点を除去するために、半月型の枕の一端を切り取った形状に構成するものである。また、枕を長尺用、短尺用の二種類とし、二つの枕はマジックテープで簡単に接続出来るように構成した。
【考案の効果】
【０００６】本考案の構成によると、寝ている間に患者の肩により、枕を頭の上の方向に押し出す事を防ぐ事が出来る。長尺用の枕と短尺用の枕の組み合わせにより、首に短尺用の枕を使い、同時に腰に長尺用の枕を使って矯正が出来る。その後、長尺用の枕と短尺用の枕をマジックテープの部分で接続して長くし、首用に長い枕として使う事が出来る。短尺用の枕は携帯用として旅行に使用する事が出来る。考案者は桜川療術院を経営する整体療術師であり、整体の専門家の目からこの問題点に気づき、解決の手段を考案する事が出来た。本考案の枕を使用すると、頭部の自然な重みが、脊椎全体を牽引し、昼間圧迫していた頸椎を初めとする脊椎全体の椎間板の圧迫から開放し、回復を促す事が出来る。
【図面の簡単な説明】
【０００７】
【図１】図１は本考案の斜視図である。
【図２】図２は本考案の断面図である。
【図３】図３は一般市販枕１００を使用した状態を示す図である。
【図４】図４は従来の半月型枕を使用した状態を示す図である。
【図５】図５は従来の半月型枕を使用した状態を示し、枕が頭方にずれた状態を示す図である。
【図６】図６は本考案の枕を首と腰に使用した状態を示す図である。
【考案を実施するための形態】
【０００８】本考案を図によって説明すると、図１は本考案の非対称形半月型枕１と短尺非対称形半月型枕２をマジックテープで連結した図である。非対称形半月型枕１の枕の高さは６５ミリ、幅１１０ミリ、長さ４００ミリである。短尺非対称形半月型枕２の長さは２００ミリである。この長さは携帯用に便利である。従来型半月型枕１０は高さが７０ミリであり、これを実験により、６５ミリに低くした。片端面部１−１は直角に近似した形状の非対称形半月型の形状である。図２は非対称形半月型枕１の断面図を示すもので、形状は本来の半月型の場合、幅が１４０ミリになるサイズのものを片端面をカットした形とし、幅を１１０ミリにしている。断面構成はソフトウレタンフォーム製の外殻１−Ａと内部のチップ材１−Ｂ、ポリエステル製のカバー１−Ｃによって構成される。図３は一般市販枕１００を使用した状態を示す図である。この場合、頸椎は枕に沿って後弯している。そして一般市販枕１００を使用した場合、首周辺の不調の原因になる事が多い。昼間圧迫されていた頸椎を初めとする脊椎全体の椎間板の圧迫から開放されにくくなる。図４は従来型半月型枕１０を使用した場合の頸椎Ｎの状態を示す図である。図５は、肩が従来型半月型枕１０を頭の上の方向に押し出す事が多く、枕がずれ、後弯が起る状態を示した図である。就寝中、何度も調整をすることになる。図６は首に本考案の短尺非対称形半月型枕２を当て、腰に非対称形半月型枕１を当てた場合の頸椎Ｎと腰椎Ｗとの状態を示す図である。従来型半月型枕１０のように枕の端面が肩で押し出される事が無い。腰に非対称形半月型枕１を当てて、約５分間使用した後、短尺非対称形半月型枕２とマジックテープでつないで長くし、首用に当てて使用する事が出来る。
【産業上の利用の可能性】
【０００９】
【符号の説明】
【００１０】１０：従来型半月型枕
１００：一般市販枕
１：非対称形半月型枕
１−１：片端面部
１−Ａ：外殻
１−Ｂ：内部
１−Ｃ：カバー
２：短尺非対称形半月型枕
Ｎ：頸椎
Ｗ：腰椎
【図１】
0003174302.tif 000003
【図２】
0003174302.tif 000004
【図３】
0003174302.tif 000005
【図４】
0003174302.tif 000006
【図５】
0003174302.tif 000007
【図６】
0003174302.tif 000008
(57)【要約】【課題】    ティシューペーパーを、柔らかく、汚れを落とし易くしたい。【解決手段】    ティシューペーパー加工時、ロール状態及び、ティシューボックスへのセット前状態時に、加圧及び湿気、連続筒型状板により二次加工することで成形して乾燥することで、クッションを吸収できる形状にし、肌に優しい柔らかで、汚れを落とし易い、ティシューペーパーを製造する。【選択図】図１
0003174389.tif 000002
【実用新案登録請求の範囲】
【請求項１】
波状に形成する、ティシューペーパー。
【請求項２】
ティシューペーパーの、ロール状態及び、ティシューボックス挿入セット前の平積み状態時に加圧することで、形成する、請求工１記載の、ティシューペーパー。
【請求項３】
硬質塩ビ製、パイプにより、圧力を、加えることで、波状に形成する、請求工１から２記載の、ティシューペーパー。
【請求項４】
硬質塩ビ製パイプ単体物を、軟質ビニールにより、つないだ、連続筒形状板により波状に形成する、請求工１から３記載の、ティシューペーパー。
【請求項５】
連続筒形状板により剪み、形成する、請求工１から４記載の、ティシューペーパー。
【請求項６】
湿気及び、水蒸気を加え、形成する、請求工１から５記載の、ティシューペーパー。
【請求項７】
ティシューペーパーを、加圧後、湿気、水蒸気を加えた形成後、乾燥することで形成固定する、請求工１から６記載の、ティシューペーパー。
【考案の詳細な説明】
【技術分野】
【０００１】  大きな波状を有する、柔らかな、ティシューペーパーを作る。
【背景技術】
【０００２】  ティシューペーパーに、波状を、成形する。【０００３】
【先行技術文献】
【特許文献】
【０００４】
【特許文献１】特開  平１１−３２３７８７
【考案の概要】
【考案が解決しようとする課題】
【０００５】  ティシューペーパーを、柔らかで、汚れを落とし易くしたい。
【課題を解決するための手段】
【０００６】  ティシューペーパー加工後の、ロール状態及び、ティシューボックスへ、セット前平積み状態時に、硬質塩ビ製パイプ単体物を、軟質ビニールにより、つないだ、連続筒形状板により加圧及び湿気、水蒸気を加え、保ちながら乾燥させ、波状に、加工することで、柔らかなティシューペーパーを、形成する。
【考案の効果】
【０００７】  波状なティシューペーパーを巻き取り後、重なることで、より柔らかさが増し、エンボス加工などをロール成形前にするのに比べ、嵩張らなくてすむ。
【図面の簡単な説明】
【０００８】
【図１】  波状のティシューペーパーを、ティシューボックス挿入セット前の平積み状態時の、断面の説明図である。
【図２】  波状のトイレットペーパーのロール時の断面の説明図である。
【図３】  硬質塩ビ製パイプ単体物を、軟質ビニールにより、つないだ、連続筒形状板の姿図の、説明図である。
【考案を実施するための形態】
【０００９】  ティシューペーパーの、ロール状態及び、ティシューボックス挿入セット前の平積み状態時に、連続筒形状板により剪み、加圧及び湿気、水蒸気を、加えて波状形成時に、乾燥することで、柔らかなティシューペーパーを、形成する。
【符号の説明】
【０００１０】ａ，波状表面状態
【図１】
0003174389.tif 000003
【図２】
0003174389.tif 000004
【図３】
0003174389.tif 000005
【手続補正書】
【提出日】平成23年12月20日(2011.12.20)
【手続補正１】
【補正対象書類名】実用新案登録請求の範囲
【補正対象項目名】全文
【補正方法】変更
【補正の内容】
【実用新案登録請求の範囲】
【請求項１】
ティッシュペーパーを、波状に形成する、ティッシュペーパー。
【請求項２】
ティッシュペーパーの、ロール状態及び、ティッシュボックス挿入セット前の平積み状態時に加圧することで、波状に形成する、請求項１記載の、ティッシュペーパー。
【請求項３】
ティッシュペーパーを、連続筒形状板により剪み、波状に形成する、請求項１及び２記載の、ティッシュペーパー。
【請求項４】
ティッシュペーパーを、湿気及び、水蒸気を加え、波状に形成する、請求項１から３記載の、ティッシュペーパー。
【請求項５】
ティッシュペーパーを、加圧後、湿気、水蒸気を加え、波状に形成後、乾燥することで波状に形成固定する、請求項１から４記載の、ティッシュペーパー。
【手続補正２】
【補正対象書類名】明細書
【補正対象項目名】全文
【補正方法】変更
【補正の内容】
【考案の詳細な説明】
【技術分野】
【０００１】  大きな波状を有する、柔らかな、ティッシュペーパーを作る。
【背景技術】
【０００２】  ティッシュペーパーに、波状を、成形する。【０００３】
【先行技術文献】
【特許文献】
【０００４】
【特許文献１】特開  平１１−３２３７８７
【考案の概要】
【考案が解決しようとする課題】
【０００５】  ティッシュペーパーを、柔らかで、汚れを落とし易くしたい。
【課題を解決するための手段】
【０００６】  ティッシュペーパー加工後の、ロール状態及び、ティッシュボックスへ、セット前平積み状態時に、連続筒形状板により加圧及び湿気、水蒸気を加え、保ちながら乾燥させ、波状に、加工することで、柔らかなティッシュペーパーを、形成する。
【考案の効果】
【０００７】  波状なティッシュペーパーを巻き取り後、重なることで、より柔らかさが増し、エンボス加工などをロール成形前にするのに比べ、嵩張らなくてすむ。
【図面の簡単な説明】
【０００８】
【図１】  波状のティッシュペーパーを、ティッシュボックス挿入セット前の平積み状態時の、断面の説明図である。
【図２】  波状のトイレットペーパーのロール時の断面の説明図である。
【図３】  平状又は、ロール状に変形させ加圧する連続筒形状板の姿図の、説明図である。
【考案を実施するための形態】
【０００９】  ティッシュペーパーの、ロール状態及び、ティッシュボックス挿入セット前の平積み状態時に、連続筒形状板により剪み、加圧及び湿気、水蒸気を、加えて波状形成時に、乾燥することで、柔らかなティッシュペーパーを、形成する。
【符号の説明】
【０００１０】ａ，波状表面状態
(57)【要約】      （修正有）【課題】海水の落差で発電する海中発電システムを提供する。【解決手段】海中に発電基地（イ）を設置し海水をフイルター（ハ）でごみ等をカットし吸水溝（ロ）に吸水し  海水の落差で水車（チ）を回し発電機（リ）で発電し送電口（ト）から地上に送電する、海底から送電でも良い。発電基地内に入った海水は排水ポンプ（ヌ）で汲み上げ排水溝（ニ）を通して海面に排水する。また空気は吸気溝（ホ）から取り入れ排気溝（ヘ）から空中に排気する。風、水、ダム、核燃料等自然環境に左右されず、高価な建設費用を使わず、また発電後の燃料処理など必要としない発電システムで、海水を利用するので安定、安全な電力供給が出来る。【選択図】図２
0003174390.tif 000002
【実用新案登録請求の範囲】
海中に発電基地を設置し吸水溝から海水を取り入れ海水の落差を利用し発電するシステムである
【考案の詳細な説明】
【考案の詳細な説明】
【０００１】  海水の落差を利用した発電システム
【０００２】  風力発電は風、火力発電は石炭又は核燃料、水力発電はダムが必要である。また原子力発の燃焼済み核燃料の処分方法  処分場所万が一放射能漏れ等の大きな問題がある。風力発電は風が吹かないと回らない問題。水力発電はダムを作るのに莫大な費用が必要であり水にも限度が生じる。
【０００３】  この考案は一年を通じ豊富にある海水を利用するので風、水、核燃料、ダムも必要でない。
【０００４】  そこで１年を通して豊富にある海水を利用する。その海水の落差を利用し水車を回して発電する発電システムである。
【０００５】  海水を利用するので、１年中安定した電気の供給ができる。
【０００６】  １年中豊富にある海水を利用するため  風、水等自然環境の変化に左右されず  また核燃料など必要ない、ダムも必要ない、また発電に利用した海水は排水溝から海中に戻すため発電後環境に何の悪影響をもたらすことはない。
【図面の簡単な説明】
【図１】正面図  （イ）発電基地  （ロ）吸水溝  （ハ）フイルター  （ニ）排水溝  （ホ）吸気講  （ヘ）排気溝  （ト）送電口
【図２】側面図  （イ）発電基地  （ロ）吸水溝  （ハ）フイルター  （ニ）排水溝  （ホ）吸水溝  （ホ）吸気溝  （ヘ）排気溝  （ト）送電口  （チ）水車  （リ）発電機  （ヌ）排水ポンプ  ［１］（ロ）から入る海水の落差で（チ）を回し（リ）で発電し（ト）から地上に送電する  海底からの送電でも良い（コストによる）  ［２］（ニ）は海水に流れを少なくするため（ロ）の上に排水する（ロ）の高さ  直径の太さまたは傾斜は特定しない、（ホ）と（ヘ）の高さ太さは特定しない（ロ）と（ハ）は個数は特定しないメンテナンスを考え予備が必要である
【図３】海水の流れ  （ハ）（ロ）を通り（チ）を回し下へ（ヌ）で汲み上げ（ニ）を通り海面にする
【図４】空気の流れ  （ホ）から入り（ヘ）から排気する  必要に応じ吸気ポンプまたは排気ポンプを設けるとよい。
【図５】正面断面図  吸水講（ロ）から吸水された海水の落差で水車（チ）を回し発電機で発電する  水車の回転軸を左右どちらかにずらすことにより海水が水車にあたるむらが少なくなり水車が力強く回る。
【図１】
0003174390.tif 000003
【図２】
0003174390.tif 000004
【図３】
0003174390.tif 000005
【図４】
0003174390.tif 000006
【図５】
0003174390.tif 000007
【手続補正書】
【提出日】平成23年12月13日(2011.12.13)
【手続補正１】
【補正対象書類名】実用新案登録請求の範囲
【補正対象項目名】全文
【補正方法】変更
【補正の内容】
【実用新案登録請求の範囲】
【請求項１】
海中発電システムにおいて
（１）海面から海底まで達する構造の発電基地を設け．
（２）発電基地の上部には．吸水した海水からごみ等を除去するためのフイルターを取り      付けた吸水溝を設け．
（３）上記吸水溝の内部には．吸水した海水を落下させることにより回転させる
ことができる水車を設け．
（４）上記水車の回転軸と連結することにより．タービンを回すことができ．
送電機能を有する発電機を設置し．
（５）発電基地の底部には吸水し落下させた海水を一時的に保管する海水タンクを設け．
（６）上記海水タンクの中には．内部の海水面が一定の高さに達すると排水する
ことができる排水ポンプを設け．
（７）発電基地の天井部には．吸気溝及び排気溝を設け．
以上により構成されたことを特徴とした海中発電システム。
(57)【要約】      （修正有）【課題】くすりの錠剤を置く部分とカットする歯で錠剤を簡単に分割できるくすりカット治具を提供する。【解決手段】錠剤を置く部分２をカットする歯１及び歯を上下するレバー３とから構成されており、レバー３を操作することで錠剤の分割処理に役立つ。くすりの錠剤は、割りづらい形状になっておりカットするときは、しっかりとはさんで切断する必要があり、本治具はくすりを置く部分と切断する部分とからなっており、レバーをつまむだけで容易に分割できる。【選択図】図２
0003174381.tif 000002
【実用新案登録請求の範囲】
【請求項１】
ステンレス板をＵ字に折り曲げ一方の先端を再度折り曲げ端部をとがらせ、他方の先端は錠剤を置く台を設けた板の先端部附近にＵ字に板の底部を棒で固定した先にくの字に曲げた板を取付たくすりカット治具。
【考案の詳細な説明】
【技術分野】
【０００１】  本考案は、ステンレス板をＵ字型に折り曲げ先端を再度折り曲げた部分とそれを受ける台の部分とからなるくすりをカットする治具に関するものである。
【背景技術】
【０００２】  くすりを半分又は４分の１にカットするときは、両手を使ってカットしていたが、正確さに欠けていた。
【考案の開示】
【考案の解決に関する問題】
【０００３】  くすりの錠剤は、円形又はだ円形になっており切断しずらい形状になっているため、カットするには高価な装置が必要とされていた。
本治具は構造が簡単なため、前述の欠点を解決している。
【課題を解決するための手段】
【０００４】  本考案は、レバーを手でつまみ上、下させることで先端の歯でくすりをカットし問題を解決している。
【考案の効果】
【０００５】  くすりの錠剤は、割りづらい形状になっておりカットするときは、しっかりとはさんで切断する必要があり、本治具はくすりを置く部分と切断する部分とからなっており、レバーをつまむだけで容易に分割できる。
【考案を実施するための最良の形態】
【０００６】  くすりの錠剤は割りづらい形状になっており、カットするときはしっかりはさんで切断する必要があり、本治具はくすりを置く部分とからなっているので、レバーをつまむだけで簡単に分割できる。
【実施例】
【０００７】  以下、添付図に従って実施例を説明する。１及び２はくすりをカットする治具の本体であり、２に錠剤を置き３のレバーを押すことで、１の歯の部分が上下してくすりは、分割される。【０００８】  本考案は、上述の如き構成からなるものであり、図３に示す様に錠剤を分割するときに用いられる。
【図面の簡単な説明】
【０００９】
【図１】本考案の正面図
【図２】本考案の側面図
【図３】実施例図
【図１】
0003174381.tif 000003
【図２】
0003174381.tif 000004
【図３】
0003174381.tif 000005
【手続補正書】
【提出日】平成23年10月28日(2011.10.28)
【手続補正１】
【補正対象書類名】実用新案登録請求の範囲
【補正対象項目名】全文
【補正方法】変更
【補正の内容】
【実用新案登録請求の範囲】
【請求項１】
ステンレス製の板をＵ字形の型状に折り曲げ、一方の先端を再度折り曲げ先端部をとがらせる。また、他方の先端に台を設けその台の近くにもう一方の板を通過させる様に固定し、その棒に横穴をあけ、そこにくの字形の型状の板を取付け、その板を操作し、先端部のとがった板を上下させることを特徴とするくすりカット治具。
【手続補正書】
【提出日】平成23年12月22日(2011.12.22)
【手続補正１】
【補正対象書類名】実用新案登録請求の範囲
【補正対象項目名】全文
【補正方法】変更
【補正の内容】
【実用新案登録請求の範囲】
【請求項１】
Ｕ字形に折曲げたステンレス製の板と、前記板の一端を折曲げて形成した歯と前記板の他端に設けた台をそなえることを特徴とするくすりカット治具。
(57)【要約】      （修正有）【課題】糸の解れなく、汚れの浸透を防ぎ、丈夫で使いやすい筆巻きを提供する。【解決手段】筆巻き本体に不織布を使用し、巻き止めに複数箇所を帯状にマジックテープ（登録商標）を使用し、本体と一体化させる。【選択図】図１
0003174385.tif 000002
【実用新案登録請求の範囲】
【請求項１】
本体に不織布を使用した筆巻き。
【請求項２】
巻き止めにマジックテープを使用した［請求項１］に記載の筆巻き。
【請求項３】
本体に巻き止めを直接縫い込んだ［請求項１］に記載の筆巻き。
【考案の詳細な説明】
【技術分野】
【０００１】  本考案は、毛筆の収納用具に不織布を使用し、巻き止めにマジックテープを本体に縫い込み、これを一体化させた、筆巻きに関するものである。
【背景技術】
【０００２】  元来筆巻きは、細い竹籤を糸で編んで作られており、複数の毛筆を束ねて巻き上げ、爪の付いた紐で括って止めるものであった。
【先行技術文献】
【特許文献】
【０００３】
【特許文献１】  ２００６−１１８２
【特許文献２】  実開昭５３−１０００４４
【特許文献３】  実開昭５７−５０２８
【特許文献４】  実開昭５８−４４９２０
【特許文献５】  実開昭６１−１３９６２３
【特許文献６】  実開昭６２−５０２３
【特許文献７】  実開昭６３−１７５９３１
【非特許文献】
【０００４】
【非特許文献１】  「ｋｕｒｅｔａｋｅ  総合カタログ  ２００９−２０１０」、株式会社  呉竹、２００９年、ｐ・７７
【非特許文献２】  「墨運堂  商品カタログ  Ｖｏｌ１７」、株式会社  墨運堂、２００９年、ｐ・６１
【考案の概要】
【考案が解決しようとする課題】
【０００５】  特許文献１の如く、当然の様に使用してきた従来の竹籤製では、墨の汚れも浸透させて、ケース等収納容器も汚してしまうし、使用頻度に比例して編んだ糸のバラけも起こりやすい。巻き止めの紐も耐久性がない。名前が書き辛い。虫が付きやすく、カビが生えやすい。
【課題を解決するための手段】
【０００６】  本体に不織布を使用し、巻き止めにマジックテープを本体に直接縫い込み、これを一体化させた。
【考案の効果】
【０００７】  糸の解れなく、汚れの浸透を防ぎ、虫食いやカビも防げ、名前も書き易く、盗難防止に役立ち。丈夫で使い易くなる。
【図面の簡単な説明】
【０００８】
【図１】本考案の不織布筆巻きの一第１の実施例を示す表面図である。
【図２】本考案の不織布筆巻きの一第１の実施例を示す裏面図である。
【図３】本考案の不織布筆巻きの一第２の実施例を示す表面図である。
【図４】本考案の不織布筆巻きの一第２の実施例を示す裏面図である。
【考案を実施するための形態】
【０００９】  本体不織布の、上下を折り返し縫い合わす事で補強し、マジックテープを本体に縫い込み、巻き上げ、解きがより簡単に出来るようになる。
【実施例】
【００１０】  以下、［図１］および［図２］に記載の第１の実施例を説明する。表面に２か所マジックテープの凹面を長方形型にして、本体中央に縫い込み、裏面に２か所マジックテープの凸面を方型にして、本体上部に縫い込んだ。
次いで［図３］および［図４］に記載の第２の実施例を説明する。表面に１か所マジックテープの凹面を長方形型にして、本体中央に縫い込み、その縫い込み部に、マジックテープの凸面を方型にして、縫い込んだ。
上記の構造により、使用後の筆を図２の下部に筆を束ね、そのままくるくると巻き上げる。そのままマジックテープ裏面部が、表面部に周り、止める事が出来る。ただ巻くだけ。【００１１】  開きたい時は、マジックテープを剥がし、広げるだけで、簡単に取り出しが出来る。【００１２】  本考案の一実施例は上述の如き構成からなるものであるから、幼年・低学年生でも使用し易く、場所を取らずに収納出来る。
【符号の説明】
【００１３】１  不織布筆巻き本体
２  マジックテープ
３  不織布筆巻き本体
４  マジックテープ
５  カバー
【図１】
0003174385.tif 000003
【図２】
0003174385.tif 000004
【図３】
0003174385.tif 000005
【図４】
0003174385.tif 000006
【手続補正書】
【提出日】平成23年12月20日(2011.12.20)
【手続補正１】
【補正対象書類名】実用新案登録請求の範囲
【補正対象項目名】全文
【補正方法】変更
【補正の内容】
【実用新案登録請求の範囲】
【請求項１】
筆巻き本体に不織布を使用した筆巻き。
【請求項２】
筆巻きの本体の巻き止めに複数か所帯状にマジックテープ（登録商標）を使用し本体と一体化させた請求項１に記載の筆巻き。
【請求項３】
本体に巻き止めを直接縫い込んだ請求項１に記載の筆巻き。
【手続補正２】
【補正対象書類名】明細書
【補正対象項目名】０００１
【補正方法】変更
【補正の内容】
【０００１】本考案は、毛筆の収納用具に不織布を使用し、巻き止めにマジックテープ（商標登録）を本体に縫い込み、これを一体化させた、筆巻きに関するものである。
【手続補正３】
【補正対象書類名】明細書
【補正対象項目名】０００６
【補正方法】変更
【補正の内容】
【０００６】  本体に不織布を使用し、巻き止めにマジックテープ（登録商標）を本体に直接縫い込み、これを一体化させた。
【手続補正４】
【補正対象書類名】明細書
【補正対象項目名】０００９
【補正方法】変更
【補正の内容】
【０００９】  本体不織布の、上下を折り返し縫い合わす事で補強し、マジックテープ（登録商標）を本体に縫い込み、巻き上げ、解きがより簡単に出来るようになる。
【手続補正５】
【補正対象書類名】明細書
【補正対象項目名】００１０
【補正方法】変更
【補正の内容】
【００１０】  以下、［図１］および［図２］に記載の第１の実施例を説明する。
表面に２か所マジックテープ（登録商標）の凹面を長方形型にして、本体中央に縫い込み、裏面に２か所マジックテープ（登録商標）の凸面を方型にして、本体上部に縫い込んだ。
次いで（図３）および（図４）に記載の第２の実施例を説明する。
表面に１か所マジックテープ（登録商標）の凹面を長方形型にして、本体中央に縫い込み、その縫い込み部に、マジックテープ（登録商標）の凸部を方型にして、縫い込んだ。
上記の構造により、使用後の筆を図２の下部に筆を束ね、そのままくるくると巻き上げる。そのままマジックテープ（登録商標）裏面部が、表面部に周り、止める事が出来る。ただ巻くだけ。
【手続補正６】
【補正対象書類名】明細書
【補正対象項目名】００１１
【補正方法】変更
【補正の内容】
【００１１】  開きたい時は、マジックテープ（登録商標）を剥がし、広げるだけで、簡単に取り出しが出来る。
【手続補正７】
【補正対象書類名】明細書
【補正対象項目名】００１３
【補正方法】変更
【補正の内容】
【００１３】１  不織布筆巻き本体
２  マジックテープ（登録商標）
３  不織布筆巻き本体
４  マジックテープ（商標登録）
５  カバー